(57)【要約】  美容器具（１）は、ローラー（２）と、ハンドル（３）と、電源部（４）と、シート状発熱体としての発熱フィルム（６）とを有する。ローラー（２）は、皮膚に接触させる筒状の側壁部（２１）を有する。ハンドル（３）は、ローラー（２）を回転可能に支持するローラー受け部（３１）を有する。電源部（４）は、ハンドル（３）に内蔵され、電力を供給するオン状態と電力を遮断するオフ状態とを切り替え可能である。発熱フィルム（６）は、側壁部（２１）に熱的に接触し、オン状態において発熱するよう構成されている。
2015080068.tif 000002
【特許請求の範囲】
【請求項１】
皮膚に接触させる筒状の側壁部を有するローラーと、  該ローラーを回転可能に支持するローラー受け部を有するハンドルと、  該ハンドルに内蔵され、電力を供給するオン状態と電力を遮断するオフ状態とを切り替え可能に構成された電源部と、  上記側壁部に熱的に接触し、上記オン状態において発熱するシート状発熱体とを有することを特徴とする美容器具。
【請求項２】
上記シート状発熱体は、筒状に巻き回された状態で上記ローラーの内部空間に配置されると共に、上記シート状発熱体自身の弾性力により上記側壁部の内表面に向けて付勢されていることを特徴とする請求項１に記載の美容器具。
【請求項３】
上記シート状発熱体は上記側壁部の上記内表面における略全面と熱的に接触していることを特徴とする請求項１または２に記載の美容器具。
【請求項４】
上記側壁部の両端には端板部が配置されており、該端板部は上記ローラーの内部空間側に立設された発熱体規制部を有しており、上記発熱体規制部と上記側壁部との間に上記シート状発熱体の端部が配されていることを特徴とする請求項１〜３のいずれか１項に記載の美容器具。
【請求項５】
上記側壁部の両端には端板部が配置されており、該端板部は上記シート状発熱体と電気的に接続されたローラー側電極を上記ローラーの外側に有しており、上記ローラー受け部は上記電源部と電気的に接続されたハンドル側電極を有しており、該ハンドル側電極と上記ローラー側電極とが互いに接触していることを特徴とする請求項１〜４のいずれか１項に記載の美容器具。
【請求項６】
上記ハンドルは略棒状を呈しており、一対の上記ローラー受け部は上記ハンドルの端部に立設されており、上記ローラーは、その回転軸を上記ハンドルの長手方向に直交する方向に向けた状態で一対の上記ローラー受け部に支持されていることを特徴とする請求項１〜５のいずれか１項に記載の美容器具。
【請求項７】
上記ローラーは、上記オン状態において発光する発光体を内部空間に有しており、上記側壁部及び上記シート状発熱体は上記発光体からの光を透過するよう構成されていることを特徴とする請求項１〜６のいずれか１項に記載の美容器具。
【請求項８】
上記シート状発熱体は、一対の透明樹脂フィルムと、一対の該透明樹脂フィルムに挟まれた透明抵抗膜とを有しており、該透明抵抗膜は酸化インジウムスズより構成されていることを特徴とする請求項１〜７のいずれか１項に記載の美容器具。
【発明の詳細な説明】
【技術分野】
【０００１】  本発明は、肌の美容のために用いる美容器具に関する。
【背景技術】
【０００２】  肌の美容を目的とする美容器具の中で、加温されたローラーを肌に押し当てつつ転がして用いる美容器具がある。この美容器具は、ローラーにより押圧される作用と、肌を温める作用との双方の作用により、肌の血行を促進させることができる。上記美容器具は、肌のしわやたるみ、あるいは目元のくま等を改善する目的で用いられる。【０００３】  上記美容器具の例として、特許文献１には、回転可能に設置する肉厚ゲルマニウム製のローラー本体と、ローラー本体を保持する把持部材と、ローラー本体内部に配置したヒーターとを有するローラーマッサージ器が開示されている。【０００４】  また、近年では、例えば旅行や出張等の外出時に携帯できるような、携帯性に優れた上記美容器具が望まれている。
【先行技術文献】
【特許文献】
【０００５】
【特許文献１】特開２００８−３６２４７号公報
【発明の概要】
【発明が解決しようとする課題】
【０００６】  しかしながら、特許文献１のローラーマッサージ器は、肌に接触するローラー本体部とヒーターとの間に、パイプ及び保持部材の２つの部材が介在しており、熱容量が大きい。それ故、ローラー本体部を所望の温度まで加温するために比較的大きな電力を必要とするという問題がある。【０００７】  一方、携帯性を高める観点からは、小型かつ軽量な美容器具が好ましい。しかしながら、特許文献１のローラーマッサージ器は、比較的大きな電力を必要とするため、電源部の小型化及び軽量化が困難である。それ故、携帯して使用する用途には適さない。【０００８】  本発明は、かかる背景に鑑みてなされたものであり、携帯性に優れた美容器具を提供しようとするものである。
【課題を解決するための手段】
【０００９】  皮膚に接触させる筒状の側壁部を有するローラーと、  該ローラーを回転可能に支持するローラー受け部を有するハンドルと、  該ハンドルに内蔵され、電力を供給するオン状態と電力を遮断するオフ状態とを切り替え可能に構成された電源部と、  上記側壁部に熱的に接触し、上記オン状態において発熱するシート状発熱体とを有することを特徴とする美容器具にある。
【発明の効果】
【００１０】  上記美容器具は、上記側壁部に熱的に接触し、上記オン状態において発熱するシート状発熱体（以下、「発熱体」と省略することがある。）を有している。そのため、上記発熱体からの熱を上記側壁部に効率よく伝達することができ、上記側壁部を比較的低い消費電力で十分に加温することができる。その結果、上記美容器具における電源部の小型化及び軽量化を容易に行うことができ、ひいては美容器具全体の小型化及び軽量化を容易に行うことができる。【００１１】  以上のように、上記美容器具は、小型化及び軽量化を容易に行うことができる。それ故、上記美容器具は、優れた携帯性を有する。
【図面の簡単な説明】
【００１２】
【図１】実施例における、美容器具の斜視図。
【図２】実施例における、美容器具の部品展開図。
【図３】実施例における、美容器具を電源ボタン側から見た平面図。
【図４】図３のIV−IV線矢視断面図。
【図５】図４のV−V線一部矢視断面図。
【図６】実施例における、シート状発熱体として用いた発熱フィルムの平面図。
【発明を実施するための形態】
【００１３】  上記美容器具において、熱的に接触とは、発熱体の少なくとも一部が側壁部の内表面に直接接触している状態に限らず、発熱体と側壁部との間に熱抵抗の小さいフィルム状部材や高い熱伝導率を有する部材が介在している状態を含む。
【００１４】  また、上記シート状発熱体は、筒状に巻き回された状態でローラーの内部空間に配置されると共に、発熱体自身の弾性力により側壁部の内表面に向けて付勢されていることが好ましい。この場合には、発熱体が上記弾性力により側壁部側へ押し付けられるため、側壁部等の内表面と発熱体との接触面積がより広くなり易い。そのため、発熱体から側壁部への熱の伝達効率をより向上させることができ、側壁部をより小さな消費電力で十分に加温することができる。それ故、上記美容器具は、より優れた携帯性を有するものとなりやすい。
【００１５】  また、この場合には、発熱体を側壁部側へ押し付けるための構造をローラー内に設ける必要がないため、ローラーの構造をより簡素にすることができる。その結果、上記美容器具全体の生産性をより向上させることができる。
【００１６】  また、発熱体は側壁部の内表面における略全面と熱的に接触していることが好ましい。この場合には、側壁部の内表面における全面を発熱体からの熱伝達に利用することができる。そのため、発熱体から側壁部への熱の伝達効率がほぼ最大となり、側壁部をより小さな消費電力で十分に加温することができる。その結果、上記美容器具は、より優れた携帯性を有するものとなる。
【００１７】  また、上記側壁部の両端には端板部が配置されており、端板部はローラーの内部空間側に立設された発熱体規制部を有しており、発熱体規制部と側壁部との間にシート状発熱体の端部が配されていてもよい。この場合には、例えば発熱体の自重や振動等によって発熱体が側壁部から離れる方向に変形しようとする場合に、発熱体の端部が上記発熱体規制部と上記側壁部との間に規制される。これにより、発熱体と側壁部との間に生じる隙間が過度に大きくなることを抑制でき、ひいては側壁部の加温が不十分となることを抑制できる。その結果、上記美容器具は、使用者に優れた美容効果を安定して体感させることができる。
【００１８】  また、端板部はシート状発熱体と電気的に接続されたローラー側電極をローラーの外側に有しており、ローラー受け部は、電源部と電気的に接続されたハンドル側電極を有しており、ハンドル側電極とローラー側電極とが互いに接触していてもよい。この場合には、発熱体は、ローラー側電極及びハンドル側電極を含む電流経路により、電源部と電気的に接続される。そして、発熱体は、電源部からの電力供給を受けるための配線をローラーの外部まで伸ばす必要がない。それ故、ローラーは、上記配線のねじれ等により回転を規制されることなく、自由に回転することができる。その結果、上記美容器具は、使用者にとってより扱い易いものとなる。
【００１９】  また、ハンドルは略棒状を呈しており、一対の上記ローラー受け部は上記ハンドルの端部に立設されており、ローラーは、その回転軸をハンドルの長手方向に直交する方向に向けた状態で一対のローラー受け部に支持されていてもよい。この場合には、使用者は、ハンドルを往復移動させることにより、肌を押圧しつつ肌に押し当てたローラーを容易に回転させることができる。
【００２０】  また、この場合には、側壁部におけるハンドルに対面する部分、すなわちハンドルが障害となって肌に接触させることができない部分の面積が狭くなり、肌と接触可能な部分の面積を相対的に広くすることができる。そのため、使用者は、ローラーを肌に接触させる際の美容器具の姿勢をより自由に選択することができる。以上の結果、上記美容器具は、使用者にとってより扱い易いものとなる。
【００２１】  また、一対のローラー受け部はハンドルの長手方向に対して斜め方向に向かって立設されており、ローラーの側壁部の少なくとも一部がハンドルよりも外方まで膨出していてもよい。すなわち、ローラーの回転軸方向から見たときに、一対のローラー受け部がハンドルに対して斜め方向に突出しており、かつ、側壁部の少なくとも一部がハンドルの外表面よりも膨出していてもよい。この場合には、使用者は、側壁部におけるハンドルよりも外方まで膨出した側を肌に向けることにより、より容易にローラーを肌に押し当てることができる。その結果、上記美容器具は、使用者にとってより扱い易いものとなる。
【００２２】  また、上記ローラーは、上記オン状態において発光する発光体を内部空間に有しており、側壁部及びシート状発熱体は上記発光体からの光を透過するよう構成されていてもよい。この場合には、使用者は、上記美容器具がオン状態であるか否かを、上記発光体の発光の有無により視覚的に判断することができる。その結果、使用者が上記美容器具を誤ってオン状態にすることを容易に防止でき、誤動作等による電力の浪費を容易に抑制することができる。
【００２３】  また、この場合には、誤動作等による電力の浪費を抑制することができる。そのため、上記美容器具が電力源として電池を使用している場合には、より長時間の連続使用が可能である。それ故、上記美容器具は、より優れた携帯性を有するものとなりやすい。
【００２４】  上記発光体としては、例えば白熱電球や発光ダイオード素子等が用いられる。消費電力の低減及び美容器具の小型化の観点からは、発光体として発光ダイオード素子を用いることが好ましい。
【００２５】  また、上記透過光は、上記側壁部を透過した後に暖色を呈するよう構成されていてもよい。ここで、暖色とは、例えば赤色、朱色、橙色、桃色、黄色などを含み、一般的な感覚として視認することにより温かみを感じる色をいう。この場合には、暖色の透過光を視認することによる心理的な作用により、上記美容器具は肌に接触した上記側壁部の温感をより効果的に使用者に体感させることができ、ひいては優れた美容効果を体感させることができる。
【００２６】  なお、上記透過光は、最終的に側壁部を透過した後に暖色を呈していればよい。透過光を暖色にする構成としては、例えば、暖色に発光する発光体を用いる構成、側壁部を暖色に着色することにより、側壁部を透過した光を暖色にする構成等がある。
【００２７】  上記シート状発熱体は、一対の透明樹脂フィルムと、一対の透明樹脂フィルムに挟まれた透明抵抗膜とを有しており、透明抵抗膜は酸化インジウムスズより構成されていることが好ましい。酸化インジウムスズよりなる透明抵抗膜は、通電時の温度が変動しにくく、一定の温度になり易い。そのため、上記美容器具は、側壁部の加温特性が変動しにくく、安定して優れた性能を示す。
【００２８】  また、上記美容器具が発光体を有する場合には、発光体からの光が透明抵抗膜及び一対の透明樹脂フィルムを透過する。そのため、発光体からの光がシート状発熱体による減衰を受けにくい。それ故、透過光の光量が十分に大きくなり、透過光がより視認され易くなる。その結果、使用者は、上記美容器具がオン状態であるか否かの判断をより容易に行うことができる。
【００２９】  また、シート状発熱体としては、上述した構成を有するもの以外に、通電により発熱すると共に、発熱体からの光を側壁部側に透過するよう構成されているものを用いることができる。シート状発熱体としては、例えば、少なくとも一部に透明な部分を有する発熱フィルムや、電熱線等の抵抗体が網状に配置された網状抵抗体等を用いることができる。
【００３０】  また、上記発光体の周囲には、該発光体からの光を拡散する光拡散部材が設けられていてもよい。この場合には、光拡散部材により拡散された光が上記側壁部の全面を透過しやすくなり、上記オン状態において、上記側壁部の略全面が発光した状態となる。そのため、使用者は、透過光をより容易に視認することができ、ひいては上記美容器具がオン状態であるか否かを判断し易くなる。その結果、上記美容器具は、より扱い易いものとなる。
【００３１】  光拡散部材としては、例えば、光を拡散させる作用を有する光拡散フィルム等を用いることができる。また、ローラーの側壁部やシート状発熱体等が光拡散部材としての機能を有する構成であってもよい。かかる構成としては、例えば、シート状発熱体または側壁部に光を拡散させるためのコーティング層を設ける構成や、光を拡散させる作用を有する樹脂を用いて側壁部等を形成する構成等がある。また、光を拡散させる作用を実現する具体的な手段としては、ハーフミラー等により光を多重に反射させる手段や、微粒子顔料等により光を散乱させる手段などがある。
【００３２】  また、上記ハンドルは、上記オン状態と上記オフ状態とを切り替えるスイッチ部と、上記オン状態が所定時間継続した場合に上記オン状態から上記オフ状態への切り替えを行うタイマー部とを有する制御部を有していてもよい。この場合には、上記美容器具は、例えば使用者が誤ってスイッチ部を操作した場合等に、上記オン状態が所定時間を越えて継続することがない。それ故、上記美容器具は、誤動作による電力の浪費を低減でき、より長期にわたって使用可能なものとなる。
【００３３】  なお、上記所定時間が過度に長いと電力の浪費を低減する効果が損なわれやすい。その反面、上記所定時間が過度に短いと、美容器具の使用途中でオフ状態に切り替わるおそれがあるため、使用者にとって扱いにくいものとなるおそれがある。そのため、電力の浪費の低減と、使用者の扱い易さとを両立させる観点から、上記所定時間は、例えば５〜２０分の範囲とすることができる。
【実施例】
【００３４】  上記美容器具の実施例について、図１〜図６を用いて説明する。美容器具１は、図１〜図５に示すように、ローラー２と、ハンドル３と、電源部４と、発光体５１と、シート状発熱体としての発熱フィルム６とを有している。ローラー２は、図２及び図５に示すように、皮膚に接触させる筒状の側壁部２１及び側壁部２１の両端に配置される端板部２２を有している。【００３５】  図１〜図３及び図５に示すように、ハンドル３は、ローラー２を回転可能に支持するローラー受け部３１を有している。図２及び図４に示すように、電源部４はハンドル３に内蔵されており、電力を供給するオン状態と電力を遮断するオフ状態とを切り替え可能に構成されている。図５に示すように、発光体５１は、ローラー２の内部空間２０に配置され、オン状態において発光するよう構成されている。発熱フィルム６は、側壁部２１に熱的に接触し、オン状態において発熱するよう構成されている。また、側壁部２１及び発熱フィルム６は発光体５１からの光を透過するよう構成されており、側壁部２１を透過した透過光が暖色を呈する。以下、詳説する。【００３６】  図１及び図３に示すように、美容器具１は棒状を呈しており、その一端にローラー２を有している。ローラー２は、ハンドル３に設けられた一対のローラー受け部３１の間において回転可能に支持されている。また、ローラー２の回転軸２３は、美容器具１の長手方向に直交する方向を向いている。【００３７】  なお、以下において、美容器具１の長手方向におけるローラー２側を「前方」といい、ローラー２の反対側を「後方」ということがある。また、ローラー２の回転軸２３が伸びる方向を「側方方向」ということがある。また、前後方向及び側方方向の双方に直交する方向を「上下方向」ということがある。美容器具１の方向に関するこれらの記載は便宜上のものであり、美容器具１を実際に使用する際の向きとは何ら関係がない。【００３８】  図１及び図３に示すように、ハンドル３は略棒状を呈している。図２及び図４に示すように、ハンドル３の内部には、電源部４及び制御部７が配置されている。電源部４には、電力源として用いられる電池４２が装着される。電池４２は、接点金具４１を介して制御部７に電気的に接続されている。【００３９】  制御部７は、電源部４のオン状態とオフ状態とを切り替えるスイッチ部７１と、オン状態が所定時間継続した場合にオン状態からオフ状態への切り替えを行うタイマー部（図示略）とを有している。制御部７は、接点金具４１と電気的に接続されており、電源部４からの電力供給を常に受けている。そのため、使用者は、スイッチ部７１を操作することによりオン状態とオフ状態との切り替えを所望のタイミングで行うことができる。【００４０】  スイッチ部７１によるオン状態とオフ状態との切り替えは、図３及び図４に示す、ハンドル３の上方に突出した電源ボタン７２を押下することにより行われる。また、タイマー部は、オフ状態からオン状態に切り替わった時点からの経過時間を計測し、経過時間が所定時間を超えた時点でオン状態からオフ状態への切り替えを自動的に行うように構成されている。なお、本例においては、上記所定時間は１０分に設定されている。【００４１】  ��１及び図３に示すように、ハンドル３の前方端部には、一対のローラー受け部３１が立設されている。一対のローラー受け部３１は、側方方向において互いに対面している。また、図１及び図２に示すように、一対のローラー受け部３１は、ハンドル３の長手方向に対して斜め下方に向けて立設されている。そして、図４に示すように、側壁部２１の少なくとも一部がハンドル３の側周面３２よりも下方まで膨出している。【００４２】  図２及び図５に示すように、一対のローラー受け部３１は、互いに対面する側の壁面の中央部に、周囲よりも陥没した軸受凹部３１１を有している。軸受凹部３１１は、ローラー２の回転軸２３上に配された中心凸部２２１（後述）を収容可能に構成されている。そして、軸受凹部３１１にローラー２の中心凸部２２１が収容されることにより、ローラー２が一対のローラー受け部３１の間に回転可能に支持される。【００４３】  図２及び図５に示すように、それぞれのローラー受け部３１における軸受凹部３１１には、ハンドル側電極３３が配設されている。ハンドル側電極３３は、制御部７に接続される後方端部３３１（図２参照）を基端として、各々のローラー受け部３１における軸受凹部３１１まで延設されている。そして、ハンドル側電極３３は、中心凸部２２１上に配されたローラー側電極２２２（後述）に接触している。【００４４】  図２及び図５に示すように、一対のローラー受け部３１の間に支持されるローラー２は、略円筒状を呈する側壁部２１と、側壁部２１の両端に配置された端板部２２とを有している。そして、ローラー２は、端板部２２がローラー受け部３１と対面するようにして配置されている。【００４５】  図５に示すように、側壁部２１の外表面２１１は、側方方向の両端から中央に向けて徐々に拡径しており、側方方向の中央が両端よりも外方に膨出している。側壁部２１の内表面２１２は、側方方向の全体にわたって一定の内径を有している。また、側壁部２１は透明なポリカーボネート樹脂より形成されており、発光体５１からの光を透過するように構成されている。【００４６】  図２及び図５に示すように、端板部２２は略円板状を呈しており、側壁部２１の側方方向の両端に圧入されている。また、端板部２２は、ローラー２の内部空間２０側に立設された発熱体規制部２２３と、ローラー受け部３１側に立設された中心凸部２２１とを有している。【００４７】  発熱体規制部２２３は、端板部２２の外径よりも直径の小さい円筒状を呈している。図４及び図５に示すように、発熱体規制部２２３は、ローラー２の径方向において側壁部２１から離間している。そして、側壁部２１と発熱体規制部２２３との間には、筒状に巻き回された発熱フィルム６の開口端部６１が配されている。すなわち、端板部２２はローラー２の内部空間２０側に立設された発熱体規制部２２３を有しており、発熱体規制部２２３と側壁部２１との間に発熱フィルム６の端部（開口端部６１）が配されている。【００４８】  また、図５に示すように、発熱体規制部２２３の筒内には、後述する発光体ユニット５が収容されている。発熱体規制部２２３の先端には、筒内方向に向けて突出形成された２箇所の爪部２２４が形成されており、２箇所の爪部２２４は、発光体ユニット５と係合している。これにより、発光体ユニット５が発熱体規制部２２３の筒内に保持されている。【００４９】  図２及び図５に示すように、中心凸部２２１は、端板部２２の中央に配置されており、ローラー受け部３１側に向けて立設された略円筒状を呈している。また、中心凸部２２１はローラー受け部３１の軸受凹部３１１に収容されており、中心凸部２２１と軸受凹部３１１との間に、ローラー２ががたつかない程度のクリアランスが形成されている。これにより、一対の中心凸部２２１を結ぶ中心線がローラー２の回転軸２３となり、ローラー２がハンドル３受け部の間に回転可能に支持される。【００５０】  中心凸部２２１の筒内には、真鍮製のネジよりなるローラー側電極２２２が固定されている。図５に示すように、ローラー側電極２２２はローラー受け部３１上に設けられたハンドル側電極３３と接触している。これにより、ローラー側電極２２２とハンドル側電極３３とが導通している。そして、ローラー側電極２２２は、ローラー２の内部空間２０に配置された発熱フィルム６及び発光体５１の両方に電気的に接続されている（図示略）。【００５１】  すなわち、端板部２２は発熱フィルム６及び発光体５１の両方と電気的に接続されたローラー側電極２２２をローラー２の外側に有している。そして、ローラー受け部３１は、電源部４と電気的に接続されたハンドル側電極３３を有しており、ハンドル側電極３３とローラー側電極２２２とが互いに接触している。【００５２】  図２及び図５に示すように、側壁部２１及び一対の端板部２２により区画されたローラー２の内部空間２０には、発光体５１を有する一対の発光体ユニット５、発熱フィルム６及び発光体５１からの光を拡散する光拡散部材１１が配置されている。【００５３】  発光体ユニット５は、発光体５１としてのＬＥＤ素子５１１と、ＬＥＤ素子５１１が実装された回路基板５２とを有している。図４及び図５に示すように、回路基板５２は、それぞれ、端板部２２における発熱体規制部２２３の筒内に保持されている。そして、一対の回路基板５２は、図５に示すリン青銅製の２本の金属棒５３により互いに電気的に接続されている。また、図には示さないが、同一の端板部２２に配された回路基板５２とローラー側電極２２２とが電気的に接続されている。【００５４】  ＬＥＤ素子５１１には、回路基板５２を介して電源部４から電力が供給される。なお、本例のＬＥＤ素子５１１は、オン状態において赤色に発光する。【００５５】  図５に示すように、ＬＥＤ素子５１１の周囲には、ＬＥＤ素子５１１からの光を拡散する光拡散部材１１が設けられている。そして、光拡散部材１１により拡散された光が側壁部２１の全面を透過するよう構成されている。本例においては、光拡散部材１１として、筒状に巻き回された光拡散フィルムが用いられている。また、光拡散部材１１は、自身の弾性力により側壁部２１の内表面２１２に向けて付勢されており、内表面２１２の略全面に面接触している。【００５６】  発熱フィルム６は、図６に示すように、平面視において略長方形状を呈する発熱部６２と、発熱部６２を電源部４と接続する端子部６３とを有している。発熱部６２は、一対の透明樹脂フィルム６４��、一対の透明樹脂フィルム６４に挟まれた、酸化インジウムスズよりなる透明抵抗膜６５とを有している。透明抵抗膜６５は、その一対の長辺に延設された電極膜６６を介して端子部６３と接続されている。【００５７】  発熱フィルム６は、発熱部６２の長辺が開口端となるようにして筒状に巻き回された状態で光拡散部材１１の内側に配置されている。そして、発熱フィルム６は、自身の弾性力により側壁部２１の内表面２１２に向けて付勢されており、光拡散部材１１の略全面と面接触している。これにより、発熱フィルム６は、光拡散部材１１を介して側壁部２１の内表面２１２における略全面と熱的に接触している。【００５８】  また、発熱フィルム６がローラー２の内部空間２０に配置された状態において、端子部６３は、ローラー２の内部空間２０に配された２本の金属棒５３と接続されている（図示略）。これにより、透明抵抗膜６５に電源部４からの電力が供給される。【００５９】  本例の発熱フィルム６は、３Ｖの電圧を印加した場合に、表面温度が約５５℃となる。また、発熱フィルム６により加温された状態の側壁部２１の表面温度は、４０〜４５℃程度となる。【００６０】  次に、本例の作用効果を説明する。美容器具１は、側壁部２１に熱的に接触し、オン状態において発熱するシート状発熱体としての発熱フィルム６を有している。そのため、美容器具１は、消費電力を容易に小さくすることができる。【００６１】  また、美容器具１は、オン状態において、発熱フィルム６を発熱させると共に、発光体５１を発光させるよう構成されている。そのため、使用者が美容器具１を誤ってオン状態にすることを防止でき、電力の浪費を抑制することができる。【００６２】  このように、美容器具１は、小型軽量にしやすい。また、電力源として電池４２を使用する場合には、連続使用時間の長時間化が容易である。それ故、美容器具１は、優れた携帯性を有するものとなりやすい。【００６３】  また、美容器具１は、光を透過可能に構成された側壁部２１及び発熱フィルム６を有している。そして、発光体５１が発光している状態において、発熱フィルム６及び側壁部２１を透過する透過光が暖色を呈するよう構成されている。そのため、美容器具１は、暖色の透過光を視認することによる心理的な作用により、体感できる美容効果を高めることができる。【００６４】  また、発熱フィルム６は、筒状に巻き回された状態でローラー２の内部空間２０に配置されると共に、発熱フィルム６自身の弾性力により側壁部２１の内表面２１２に向けて付勢されている。そして、発熱フィルム６は側壁部２１の内表面２１２における略全面と熱的に接触している。そのため、側壁部２１をより小さな消費電力で十分に加温することができる。それ故、美容器具１は、より優れた携帯性を有するものとなりやすい。【００６５】  また、この場合には、発熱フィルム６を側壁部２１側へ押し付けるための構造をローラー２内に設ける必要がない。そのため、ローラー２がより簡素な構造になりやすく、美容器具１全体の生産性を容易に向上させることができる。【００６６】  また、端板部２２はローラー２の内部空間２０側に立設された発熱体規制部２２３を有しており、発熱体規制部２２３と側壁部２１との間に発熱フィルム６の開口端部６１が配されている。そのため、発熱フィルム６と側壁部２１との間に生じる隙間が過度に大きくなることを抑制し、ひいては側壁部２１の加温が不十分となることを抑制できる。その結果、美容器具１は、優れた美容効果を安定して使用者に体感させることができる。【００６７】  また、端板部２２は発熱フィルム６及び発光体５１の両方と電気的に接続されたローラー側電極２２２をローラー２の外側に有しており、ローラー受け部３１は、電源部４と電気的に接続されたハンドル側電極３３を有しており、ハンドル側電極３３とローラー側電極２２２とが互いに接触している。そのため、ローラー２は、配線のねじれ等により回転を規制されることなく、自由に回転することができる。【００６８】  また、ハンドル３は略棒状を呈しており、一対のローラー受け部３１はハンドル３の端部に立設されており、ローラー２は、その回転軸２３をハンドル３の長手方向に直交する方向に向けた状態で一対のローラー受け部３１に支持されている。そのため、美容器具１は、ローラー２を回転させることが容易である。【００６９】  また、一対のローラー受け部３１に支持されたローラー２の回転軸２３がハンドル３の長手方向に直交する側方方向を向いているため、側壁部２１における肌と接触可能な部分の面積を相対的に広くすることができる。そのため、使用者は、ローラー２を肌に接触させる際の美容器具１の姿勢をより自由に選択することができる。【００７０】  また、一対のローラー受け部３１は、ハンドル３の長手方向に対して斜め下方に向かって立設されており、ローラー２の側壁部２１の少なくとも一部がハンドル３の側周面３２よりも下方まで膨出している。そのため、使用者は、側壁部２１におけるハンドル３よりも外方まで膨出した側を肌に向けることにより、より容易にローラー２を肌に押し当てることができる。【００７１】  また、発光体５１の周囲には、発光体５１からの光を拡散する光拡散部材１１が設けられており、光拡散部材１１により拡散された光が側壁部２１の全面を透過するよう構成されている。そのため、透過光がより視認され易くなる。【００７２】  これらの結果、美容器具１は、使用者にとってより扱い易いものとなる。【００７３】  また、発熱フィルム６は、一対の透明樹脂フィルム６４と、一対の透明樹脂フィルム６４に挟まれた透明抵抗膜６５とを有しており、透明抵抗膜６５は酸化インジウムスズより構成されている。そのため、透過光の光量が十分に大きくなり、透過光がより視認され易くなる。また、発熱フィルム６は通電時の温度が変動しにくいため、美容器具１は、側壁部２１の加温特性が変動しにくく、安定して優れた性能を示す。【００７４】  また、ハンドル３は、オン状態とオフ状態とを切り替えるスイッチ部７１と、オン状態が所定時間継続した場合にオン状態からオフ状態への切り替えを行うタイマー部とを有する制御部７を有している。そのため、美容器具１は誤動作等による電力の浪費を低減でき、より長期にわたって使用可能なものとなる。【００７５】  以上のように、美容器具１は、携帯性に優れると共に、より優れた美容効果を示す可能性を有する。【００７６】  なお、上記の実施例におい���は、図１〜図３に示すように、側壁部２１の外表面２１１が比較的平坦な形状を有するローラー２の例を示したが、外表面２１１は凹凸形状を有していてもよい。例えば、側壁部２１の外表面２１１には、多数の柱状突起部が外方に向けて立設されていてもよい。また、外表面２１１には、複数の溝部が互いに平行な向きに延設されていてもよい。上記溝部の延設方向としては、例えば、ローラー２の周方向や軸方向等が考えられる。また、外表面２１１は、凹状部と凸状部とが交互に配置され、両者が滑らかな曲面により接続された波状形状を有していてもよい。
【図１】
2015080068.tif 000003
【図２】
2015080068.tif 000004
【図３】
2015080068.tif 000005
【図４】
2015080068.tif 000006
【図５】
2015080068.tif 000007
【図６】
2015080068.tif 000008
【国際調査報告】
2015080068.tif 000009
2015080068.tif 000010
2015080068.tif 000011